(57)【特許請求の範囲】
【請求項１】
箱体を含み、前記箱体の中には保存空間が形成され、前記保存空間の中には保存機構が二つ上下方向に設置され、前記保存機構は前記保存空間の左壁に固定的に設置された固定板を含み、前記固定板の底部には圧迫板が上下摺動可能に設置され、二つの前記固定板の下方にはいずれも摺動長板が左右摺動可能に設置され、二つの前記摺動長板はいずれも前記保存空間に位置し、前記摺動長板には缶詰などの加工品を置くことができ、前記圧迫板が降下して前記加工品を押さえることができ、二つの前記摺動長板にはいずれも挟持板が摺動可能に設置され、前記挟持板は前記加工品を挟持でき、各前記固定板の中にはいずれも左右方向に延在する横ボルトが回転可能に設置され、前記横ボルトは前記圧迫板の上下移動を制御でき、前記保存空間の左壁内部には動力空間が形成され、前記動力空間の中には切替スライダが摺動可能に設置され、前記切替スライダの中には動力モータが固定的に嵌め込まれ、前記動力モータはそれぞれ上下二つの前記圧迫板の移動を制御でき、前記箱体の底面には支持棒がヒンジで連結され、前記支持棒の底端には固定ブロックが固定的に設置され、前記固定ブロックは地面と当接でき、本願発明の滑ることを防止できることを特徴とする食品加工センタ用の貯蔵搬送箱。
【請求項２】
前記箱体の底面には四つの車輪が自在に動けるようにヒンジで連結され、前記箱体の底面内部には底部ボルトが回転可能に設置され、前記箱体の底面には第一ネジ山ブロックが二つ左右対称になるように摺動可能に設置され、前記第一ネジ山ブロックと前記支持棒とは第一連結棒によってヒンジで連結され、前記底部ボルトの左端には回転輪が固定的に設置されていることを特徴とする請求項１に記載の食品加工センタ用の貯蔵搬送箱。
【請求項３】
前記動力モータの上下端にはいずれも噛合ブロックが伝動可能に連結され、前記動力空間の上下壁内部にはいずれも縦軸が回転可能に設置され、二本の前記縦軸において互いに近接する側の末端にはいずれも旋転ブロックが固定的に設置され、前記旋転ブロックは前記噛合ブロックと噛み合うことができ、二本の前記縦軸において互いに離れている側の末端にはいずれも第一傘歯車が固定的に設置され、前記摺動長板の中にはいずれもスプラインスリーブが回転可能に設置され、前記スプラインスリーブは前記挟持板とネジ山で連結され、前記スプラインスリーブの中にはスプライン軸がスプラインで連結され、前記スプライン軸と前記箱体とは回転可能に連結され、前記スプライン軸はいずれも左端に第二傘歯車が固定的に設置され、前記第二傘歯車と前記第一傘歯車とは噛み合い、前記切替スライダの上下側にはいずれも電磁石が固定的に設置され、前記電磁石はいずれも前記箱体の中に固定的に嵌め込まれ、前記電磁石が通電されることで前記切替スライダを制御して上下に移動させられることを特徴とする請求項２に記載の食品加工センタ用の貯蔵搬送箱。
【請求項４】
二つの前記固定板の底面にはいずれも左右対称となった第二ネジ山ブロックが摺動可能に設置され、前記第二ネジ山ブロックと前記圧迫板とは第二連結棒によって連結され、前記横ボルトの外周には従動傘歯車が固定的に設置され、前記固定板の中にはいずれも動力傘歯車が回転可能に設置され、前記動力傘歯車と前記従動傘歯車とは噛み合い、前記動力傘歯車の後端と第三傘歯車の後端とはベルトによって伝動可能に連結され、前記第三傘歯車は前記第一傘歯車の後側に設置され、前記第一傘歯車は前記第三傘歯車の前面と噛み合っていることを特徴とする請求項３に記載の食品加工センタ用の貯蔵搬送箱。
【請求項５】
前記保存空間の右壁には門が回転可能に設置され、前記門の中には大型回転盤が回転可能に設置され、前記門の上下面にはいずれも插入板が摺動可能に設置され、前記插入板を前記箱体の中に插入でき、そして前記門の位置を制限して前記門に保存空間の右開口を閉鎖させ、二つの前記插入板の右面にはいずれも復位機構が固定的に設置され、前記復位機構と前記大型回転盤とはヒンジ棒によって連結され、前記大型回転盤の右端にはノブが固定的に設置されていることを特徴とする請求項４に記載の食品加工センタ用の貯蔵搬送箱。
【発明の詳細な説明】
【技術分野】
【０００１】
本願発明は搬送貯蔵技術分野を取り上げ、特に食品加工センタ用の貯蔵搬送箱に関わる。
【背景技術】
【０００２】
基本、食品を加工し終えた後に、貯蔵室に移送して保存し、又は貯蔵室から車に移送する必要がある。しかし、既存する移送用の車はシンプルで、ただ加工食品を車体の上面に置き、挟持機構を備えないため、移動中に加工食品はぶつかりなどによって破損する恐れがあり、コストを向上させてしまう。
【先行技術文献】
【特許文献】
【０００３】
【特許文献１】中国特許出願公開第１０５２５３１７８号明細書
【発明の概要】
【発明が解決しようとする課題】
【０００４】
食品加工センタ用の貯蔵搬送箱を提供し、上記問題を解決することを目的とする。
【課題を解決するための手段】
【０００５】
本願に記載の食品加工センタ用の貯蔵搬送箱は、箱体を含み、前記箱体の中には保存空間が形成され、前記保存空間の中には保存機構が二つ上下方向に設置され、前記保存機構は前記保存空間の左壁に固定的に設置された固定板を含み、前記固定板の底部には圧迫板が上下摺動可能に設置され、二つの前記固定板の下方にはいずれも摺動長板が左右摺動可能に設置され、二つの前記摺動長板はいずれも前記保存空間に位置し、前記摺動長板には缶詰などの加工品を置くことができ、前記圧迫板が降下して前記加工品を押さえることができ、二つの前記摺動長板にはいずれも挟持板が摺動可能に設置され、前記挟持板は前記加工品を挟持でき、各前記固定板の中にはいずれも左右方向に延在する横ボルトが回転可能に設置され、前記横ボルトは前記圧迫板の上下移動を制御でき、前記保存空間の左壁内部には動力空間が形成され、前記動力空間の中には切替スライダが摺動可能に設置され、前記切替スライダの中には動力モータが固定的に嵌め込まれ、前記動力モータはそれぞれ上下二つの前記圧迫板の移動を制御でき、前記箱体の底面には支持棒がヒンジで連結され、前記支持棒の底端には固定ブロックが固定的に設置され、前記固定ブロックは地面と当接でき、本願発明の滑ることを防止できる。
【０００６】
前記箱体の底面には四つの車輪が自在に動けるようにヒンジで連結され、前記箱体の底面内部には底部ボルトが回転可能に設置され、前記箱体の底面には第一ネジ山ブロックが二つ左右対称になるように摺動可能に設置され、前記第一ネジ山ブロックと前記支持棒とは第一連結棒によってヒンジで連結され、前記底部ボルトの左端には回転輪が固定的に設置されている。
【０００７】
前記動力モータの上下端にはいずれも噛合ブロックが伝動可能に連結され、前記動力空間の上下壁内部にはいずれも縦軸が回転可能に設置され、二本の前記縦軸において互いに近接する側の末端にはいずれも旋転ブロックが固定的に設置され、前記旋転ブロックは前記噛合ブロックと噛み合うことができ、二本の前記縦軸において互いに離れている側の末端にはいずれも第一傘歯車が固定的に設置され、前記摺動長板の中にはいずれもスプラインスリーブが回転可能に設置され、前記スプラインスリーブは前記挟持板とネジ山で連結され、前記スプラインスリーブの中にはスプライン軸がスプラインで連結され、前記スプライン軸と前記箱体とは回転可能に連結され、前記スプライン軸はいずれも左端に第二傘歯車が固定的に設置され、前記第二傘歯車と前記第一傘歯車とは噛み合い、前記切替スライダの上下側にはいずれも電磁石が固定的に設置され、前記電磁石はいずれも前記箱体の中に固定的に嵌め込まれ、前記電磁石が通電されることで前記切替スライダを制御して上下に移動させられる。
【０００８】
二つの前記固定板の底面にはいずれも左右対称となった第二ネジ山ブロックが摺動可能に設置され、前記第二ネジ山ブロックと前記圧迫板とは第二連結棒によって連結され、前記横ボルトの外周には従動傘歯車が固定的に設置され、前記固定板の中にはいずれも動力傘歯車が回転可能に設置され、前記動力傘歯車と前記従動傘歯車とは噛み合い、前記動力傘歯車の後端と第三傘歯車の後端とはベルトによって伝動可能に連結され、前記第三傘歯車は前記第一傘歯車の後側に設置され、前記第一傘歯車は前記第三傘歯車の前面と噛み合っている。
【０００９】
前記保存空間の右壁には門が回転可能に設置され、前記門の中には大型回転盤が回転可能に設置され、前記門の上下面にはいずれも插入板が摺動可能に設置され、前記插入板を前記箱体の中に插入でき、そして前記門の位置を制限して前記門に保存空間の右開口を閉鎖させ、二つの前記插入板の右面にはいずれも復位機構が固定的に設置され、前記復位機構と前記大型回転盤とはヒンジ棒によって連結され、前記大型回転盤の右端にはノブが固定的に設置されている。
【発明の効果】
【００１０】
本発明は以下のプラス効果を有する：本願発明は挟持板の移動で缶詰などの加工品を挟み、また、圧迫板は挟持板の移動とともに降下して加工品をさらに挟み、既存する移送用箱に対し、本願発明は加工品を挟持することで、加工品が箱体内部で滑ることを避け、ぶつかりによる破損を抑え、全体の安全性を向上させ、さらに、本願発明には固定装置を備え、固定ブロックで発明全体を地面に固定し、発明が作業現場で動き回ることを避け、ほかにも、本願発明はシンプルな構成と安定的な伝動を有し、普及に値する。
【図面の簡単な説明】
【００１１】
下記に図１〜５を合わせて本発明について詳しく説明し、便利に説明するために、本願に記載の各方向を以下のように規定する：図１は本願発明の正面図であり、本願に記載の各方向は、図１における観察方向に基づくものである。
【００１２】
【図１】図１は本願発明の内部全体構成略図
【図２】図２は本願発明におけるベルトの略図
【図３】図３は図１におけるＡの部分拡大略図
【図４】図４は図１におけるＢの部分拡大略図
【図５】図５は図１におけるＣの部分拡大略図
【発明を実施するための形態】
【００１３】
図１〜図５を参照し、本願に記載の食品加工センタ用の貯蔵搬送箱は、箱体１０を含み、前記箱体１０の中には保存空間４７が形成され、前記保存空間４７の中には保存機構が二つ上下方向に設置され、前記保存機構は前記保存空間４７の左壁に固定的に設置された固定板７０を含み、前記固定板７０の底部には圧迫板２９が上下摺動可能に設置され、二つの前記固定板７０の下方にはいずれも摺動長板７２が左右摺動可能に設置され、二つの前記摺動長板７２はいずれも前記保存空間４７に位置し、前記摺動長板７２には缶詰などの加工品３０を置くことができ、前記圧迫板２９が降下して前記加工品３０を押さえることができ、二つの前記摺動長板７２にはいずれも挟持板３３が摺動可能に設置され、前記挟持板３３は前記加工品３０を挟持でき、各前記固定板７０の中にはいずれも左右方向に延在する横ボルト２６が回転可能に設置され、前記横ボルト２６は前記圧迫板２９の上下移動を制御でき、前記保存空間４７の左壁内部には動力空間４６が形成され、前記動力空間４６の中には切替スライダ４３が摺動可能に設置され、前記切替スライダ４３の中には動力モータ４５が固定的に嵌め込まれ、前記動力モータ４５はそれぞれ上下二つの前記圧迫板２９の移動を制御でき、前記箱体１０の底面には支持棒１５がヒンジで連結され、前記支持棒１５の底端には固定ブロック１４が固定的に設置され、前記固定ブロック１４は地面と当接でき、本願発明の滑ることを防止できる。
【００１４】
好ましくは、前記箱体１０の底面には四つの車輪５７が自在に動けるようにヒンジで連結され、前記箱体１０の底面内部には底部ボルト１３が回転可能に設置され、前記箱体１０の底面には第一ネジ山ブロック１７が二つ左右対称になるように摺動可能に設置され、前記第一ネジ山ブロック１７と前記支持棒１５とは第一連結棒１６によってヒンジで連結され、前記底部ボルト１３の左端には回転輪１２が固定的に設置され、前記回転輪１２は回転することで前記底部ボルト１３を回転させ、そして前記固定ブロック１４を地面と当接させ、本願発明を固定する。
【００１５】
好ましくは、前記動力モータ４５の上下端にはいずれも噛合ブロック４２が伝動可能に連結され、前記動力空間４６の上下壁内部にはいずれも縦軸４１が回転可能に設置され、二本の前記縦軸４１において互いに近接する側の末端にはいずれも旋転ブロック４０が固定的に設置され、前記旋転ブロック４０は前記噛合ブロック４２と噛み合うことができ、二本の前記縦軸４１において互いに離れている側の末端にはいずれも第一傘歯車２１が固定的に設置され、前記摺動長板７２の中にはいずれもスプラインスリーブ３１が回転可能に設置され、前記スプラインスリーブ３１は前記挟持板３３とネジ山で連結され、前記スプラインスリーブ３１の中にはスプライン軸３２がスプラインで連結され、前記スプライン軸３２と前記箱体１０とは回転可能に連結され、前記スプライン軸３２はいずれも左端に第二傘歯車２２が固定的に設置され、前記第二傘歯車２２と前記第一傘歯車２１とは噛み合い、前記切替スライダ４３の上下側にはいずれも電磁石４４が固定的に設置され、前記電磁石４４はいずれも前記箱体１０の中に固定的に嵌め込まれ、前記電磁石４４が通電されることで前記切替スライダ４３を制御して上下に移動させられ、前記第二傘歯車２２は回転することで、前記スプラインスリーブ３１を回転させ、そして前記挟持板３３に前記加工品３０を挟持させる。
【００１６】
好ましくは、二つの前記固定板７０の底面にはいずれも左右対称となった第二ネジ山ブロック２７が摺動可能に設置され、前記第二ネジ山ブロック２７と前記圧迫板２９とは第二連結棒２８によって連結され、前記横ボルト２６の外周には従動傘歯車２５が固定的に設置され、前記固定板７０の中にはいずれも動力傘歯車２４が回転可能に設置され、前記動力傘歯車２４と前記従動傘歯車２５とは噛み合い、前記動力傘歯車２４の後端と第三傘歯車２０の後端とはベルト２３によって伝動可能に連結され、前記第三傘歯車２０は前記第一傘歯車２１の後側に設置され、前記第一傘歯車２１は前記第三傘歯車２０の前面と噛み合い、
前記第一傘歯車２１は回転することで、前記横ボルト２６を回転させ、そして前記圧迫板２９が降下し、前記加工品３０を押さえる。
【００１７】
好ましくは、前記保存空間４７の右壁には門６７が回転可能に設置され、前記門６７の中には大型回転盤３６が回転可能に設置され、前記門６７の上下面にはいずれも插入板３４が摺動可能に設置され、前記插入板３４を前記箱体１０の中に插入でき、そして前記門６７の位置を制限して前記門６７に保存空間４７の右開口を閉鎖させ、二つの前記插入板３４の右面にはいずれも復位機構３９が固定的に設置され、前記復位機構３９と前記大型回転盤３６とはヒンジ棒３７によって連結され、前記大型回転盤３６の右端にはノブ３５が固定的に設置され、前記ノブ３５を回すことで、前記插入板３４を摺動させ、そして前記門６７を開けられるようにする。
【００１８】
使用時に、まず手でノブ３５を回し、大型回転盤３６を回転させ、そして插入板３４は連動して箱体１０から離脱し、次に門６７を開けて摺動長板７２を引き出し、加工品３０を摺動長板７２に置いて摺動長板７２を押し返し、そして上下の電磁石４４をそれぞれ作動させ、切替スライダ４３を上昇させてから降下させ、次に動力モータ４５を作動させ、噛合ブロック４２に旋転ブロック４０を回転させ、そして第一傘歯車２１は連動して横ボルト２６を回転させ、かつ第二ネジ山ブロック２７を互いに接近させ、ここで圧迫板２９は加工品３０を押さえ、また、第二傘歯車２２は回転してスプラインスリーブ３１を回転させ、挟持板３３に加工品３０を挟持させ、もし本願発明を一箇所に固定したい時、回転輪１２を回して底部ボルト１３に第一ネジ山ブロック１７を  移動させ、さらに支持棒１５を広げることで、固定ブロック１４を地面に当接させれば良い。
【００１９】
本分野の従業員が明確できるのは、本発明の主旨と発想から離脱しない場合で、以上の実施例に各種な変形が加えられ、それらの変形がすべて本発明の保護範囲にある。本発明の保護方案は本発明の権利要請書を標準とすべきである。  
【要約】      （修正有）【課題】移動中にぶつかりなどによって加工食品が破損される事を防止する、食品加工センタ用の貯蔵搬送箱を提供する。【解決手段】箱体１０を含み、箱体の中には保存空間４７が形成され、保存空間の中には保存機構が二つ上下方向に設置され、保存機構は保存空間の左壁に固定的に設置された固定板７０を含み、固定板の底部には圧迫板２９が上下摺動可能に設置され、二つの固定板の底部にはいずれも摺動長板７２が左右摺動可能に設置され、二つの摺動長板はいずれも保存空間に位置し、挟持板の移動で缶詰などの加工品３０を挟み、また、圧迫板は挟持板の移動とともに降下して加工品をさらに挟み、加工品を挟持することで、加工品が箱体内部で滑ることを避け、ぶつかりによる破損を抑えることができる食品加工センタ用の貯蔵搬送箱。【選択図】図１【図１】
0006859528.tif 000002
【図２】
0006859528.tif 000003
【図３】
0006859528.tif 000004
【図４】
0006859528.tif 000005
【図５】
0006859528.tif 000006